(57)【要約】      （修正有）【課題】オリジナリティを向上し、製作物の防水性や安全性のムラの均一化を向上したアクセサリーパーツを提供する。【解決手段】内部を空洞に加工したガラス１内に、紙と天然及び人口素材を封入し金属パーツ４で蓋をしたアクセサリーパーツであって、内部を空洞加工したガラスは球形等の立体または箱型等の多面体の１種または２種以上から選択し、その内部に１種または２種以上から選択された立体及び合成樹脂加工した紙２と、天然石や貝、人工石、ガラスの１種または２種以上から選択された素材を組み合わせ封入する。また、紙に樹脂加工を施し更にガラスに封入することにより高い防水性がある。皮膚に触れるのはガラスのみになるので樹脂アレルギーを気にせず使用できる。【選択図】図１
0003226541.tif 000002
【実用新案登録請求の範囲】
【請求項１】
内部を空洞加工したガラス内に、立体及び合成樹脂加工した紙を１種または２種以上から選択された紙を封入し、金属パーツで蓋をしたアクセサリーパーツ。
【請求項２】
ドーム内に合成樹脂加工した紙の他に、天然石や貝、人工石、ガラスの１種または２種以上から選択されたいずれかの素材を共に封入した請求項１に記載のアクセサリーパーツ。
【請求項３】
加工したガラスは球形のドーム型、ビン型の立体または箱型、星形等の多面体の１種または２種以上から選択されたいずれかである請求項１乃至請求項２に記載のアクセサリーパーツ。
【考案の詳細な説明】
【技術分野】
【０００１】    本考案はガラスと紙を利用した装着性、デザイン性及び携行性に優れたアクセサリーパーツに関するものである。
詳細には、内部を空洞に加工したガラス内に、合成樹脂加工及び立体加工を施した紙と天然及び人口素材を封入したアクセサリーであって、ガラスが球形または箱、星形などの多面体の素材からなるもの、合成樹脂加工及び立体加工を施した紙とともに封入する素材は天然石や貝、人工石、ガラスの１種または２種以上から選択されたいずれかの素材からなるタイプのアクセサリーパーツに関するものである。
【背景技術】
【０００２】    身だしなみや個々の個性を演出するのに必要なものの一つがアクセサリーであり、ネックレスやピアス、ブローチ、かんざしなど身に着ける体の部分ごとに種類も豊富である。【０００３】    アクセサリーの素材も多岐にわたり、宝石や花などの天然の素材のものや樹脂やプラスチック、ガラスなど人口的に作り加工を施した素材など豊富である。【０００４】    また昨今は工業生産のアセクサリーを店舗で購入するだけではなく、工業的な設備を持たない個人がオリジナル性の追求や趣味でアクセサリーを製作したり、ハンドメイドされた製品を購入にも関心が高まっている。
（例えば特許文献１乃至２）。【０００５】    特許文献１には個人が自然の花を採取し押し花に加工したものを、アクリルで出来た透明版に常温硬化する透明合成樹脂で埋封し、ブローチを始めとするアクセサリーを製作するための方法が開示されており、特許文献２には押し花を使用した樹脂製アクセサリー製作の別方法として、押し花と透明な合成樹脂液を透明な枠の中に埋封してブローチなどの製品を作る方法が開示されている。【０００６】    時間やＵＶにて硬化する合成樹脂は昨今アクセサリーに使用することが注目を集めており、合成樹脂に封入する素材も日々進化している。特許文献３には押し花ではなく、立体的構図をあしらった和紙をＵＶで硬化するレジンに封入する方法が開示されている。【０００７】    特許文献３にかかる考案は、天然の素材ではなく人工的な和紙を使用することによって、自由に構造を変えることができ、オリジナリティや創作性の向上の点に一定の向上を収めた。和紙を無加工のままアクセサリーとして使用するよりも耐久性や防水性も一定の向上を見せている。【０００８】    しかしながら、和紙にレジン加工処理を施しても耐久性や防水性の向上には限界があり、折り鶴など鋭角になっている部分がある形状や、切り絵など厚みが薄い場合、立体構造の和紙が著しく小さい場合など耐久性に不安があった。レジンの被膜の厚さや製作時の塗りムラによっては、雨の日に身に着けることが難しいなど防水性にも不安があり、特に指輪など耐衝撃性や防水性が必要なものは使用に慎重にならないといけない場合もあった。また、昨今レジンをはじめとする樹脂製品にアレルギーも増えていて安全性の問題もあり、物理的にも、立体構造の和紙に鋭角な部分があった場合、樹脂加工処理により硬度が増し、怪我のおそれがあるなど安全性の問題もあった。オリジナリティも和紙の種類や立体の形状に大きく左右される問題があり、これらの問題には改良の余地が残されていた。
【先行技術文献】
【特許文献】
【０００９】
【特許文献１】特開平７−３０４６０２号公報
【特許文献２】特開平８−１３２８００号公報
【特許文献３】実用新案登録第３２０９３６７号公報
【考案の概要】
【考案が解決しようとする課題】
【００１０】    本考案は上記の問題点に鑑みて提案されたものであり、携行性、オリジナリティの向上、製作物の防水性や安全性のムラの均一化の向上したアクセサリーパーツを提供することにある。
【課題を解決するための手段】
【００１１】    上記課題解決のため、検討、試作を重ねた結果、内部を空洞に加工したガラス内に、合成樹脂加工及び立体加工を施した紙と天然及び人口素材もともに封入することによって、問題点を解決できる本考案を完成するに至った。【００１２】    すなわち本考案によれば、内部を空洞に加工したガラス内に、立体及び合成樹脂加工した紙を封入し、金属パーツで蓋をしたアクセサリーパーツが提供される。【００１３】    また、本考案で使用されるガラスは内部空洞加工されており、球形のドーム型または箱型、星形等の多面体の１種または２種以上から選択されたアクセサリーパーツが提供される。【００１４】    さらに、ドーム内に合成樹脂加工した紙の他に、天然石や貝、人工石、ガラスの１種または２種以上から選択されたいずれかの素材を組み合わせ、樹脂加工した紙とともに封入することでオリジナリティあるアクセサリーパーツを提供することができる。
【考案の効果】
【００１５】    本来水に弱い紙製品であるが、紙の表面に樹脂加工を施すことにより、一定の防水性を確保し、更にガラスに封入することにより高い防水性を確保できる。また、ガラスに封入することによって紙に鋭角になっている部分や厚みが薄い部部が存在した場合、著しく小さい場合も破損を気にせず使用することができる。また、レジンをはじめとする樹脂製品にアレルギーがある場合も、皮膚に触れるのはガラスのみになるのでアレルギーを気にせず使用できる。オリジナリティに関しても紙の種類や立体の形状だけではなく、ガラスの形状や紙とともに封入する天然石や貝、人工石、ガラスなど選択肢が一気に増え、バリエーションを飛躍的に向上させることが可能になった。
【図面の簡単な説明】
【００１６】
【図１】    本考案のアクセサリーパーツの基本素材として、球形の空洞加工のガラスに立体的構造と樹脂加工を施した紙、丸いプラスチックを入れ、金属のキャップを付けた様子を示す概要図である。
【図２】    本考案のアクセサリーパーツの使用例として、星型に空洞加工のガラスに立体的構造と樹脂加工した紙、石のかけらを入れ、円柱のキャップを付けたアクセサリーパーツをピアスに加工した事例を示す概要図である。
【考案を実施するための形態】
【００１７】    本考案は、ガラスと紙を使用したアクセサリーパーツである。
本考案によれば、まず製作するアクセサリーにあわせてガラスの形状や大きさを選択する。ガラスの色は無色、青や赤、虹色加工されたものなど多岐に亘るが透明性があるものが好適に使用できる。形状は立体で球形、箱型、星形等、様々な形状があるので、好みや重さなど目的によって１種または２種以上から適宜選択する。同じようにガラスにふちに着け蓋をする金属パーツを選択する。ガラスのふちの大きさに合わせて接着剤をつけてもガラスのふちや金属外に接着剤がはみ出さなような大きさを選択する。なお素材や色、形状は環付きや円柱形、王冠型など様々だが、アクセサリーパーツの使用用途やデザインによって適宜選択をするのが好ましい。
【００１８】    次にガラスの中に封入する紙の材質の選択をする。素材は楮、広葉樹、針葉樹、三椏、雁皮、麻など洋紙、和紙の選択は製作品により適宜選択する。折り目がつけやすい硬めのものが望ましい。１種または２種以上から採用し、加工処理を行うのが好ましい。立体的構図は自由に構想した形状を採用するが、すでに発表されている立体構図を使用する場合には。著作権など各種権利侵害防止のために伝統折り紙が好ましい。１種または２種以上から選択しアクセサリーパーツを構成する。
【００１９】    次に合成樹脂加工及び立体加工を施した紙とともにガラスに封入する素材は、水晶やラピスラズリなどのパワーストーンと呼ばれる天然石や、細かくした貝殻、色と形を加工した人工ガラス、サンドストーンなど石に似せた人口石など１種または２種以上から選択されたいいずれかの素材を使用するのが好ましい。
【００２０】    前記の前準備をした後、採用した紙素材を立体加工を施したあと、薄く合成樹脂加工を施す。使用する合成樹脂は特に制限はないが、美しさや加工工程の兼ね合いから、感光性樹脂組成物が使いやすい。
【００２１】    本考案の基本工程としては、まず、選択した紙を立体加工をし、その形を維持しつつ薄く合成樹脂を塗る。その際、ムラがあると効果時間に違いが出てしまうので気を付ける。次に、各樹脂の効果時間に合わせ、ＵＶランプや自然光、またはその場に置くことによって硬化させ、透明光沢の塗膜を形成する。必要強度や紙の素材によってはさらに合成樹脂を塗り重ね硬化させる。
【００２２】    次に、選択した素材をガラスドームの中に入れ合成樹脂加工した紙を入れる。紙を後から入れることによって、合成樹脂加工をした紙と選択した素材が混ざることを防ぐ。最後に前項で選択した金属のキャップに接着剤を付け、空洞加工したガラスのふちに貼り付ける。使用する接着材は、強度を考え、ＵＶレジンや瞬間接着材よりも２液混合した接着剤を使用するほうが好ましい。所定の硬化時間、常温に放置し、完全硬化を確認して完成となる。
【００２３】    このようにして仕上げた製品はデザイン性や高級感があるアクセサリーパーツとなる。また、ガラスを使用することによって、従来の折り紙や紙で製作されたアクセサリーよりも防水性、安全性の向上したものになり、汎用性も高くすることができた。アクセサリーパーツは、代表的にはピアス、イヤリング、ペンダントトップ、かんざし、ブローチなどに使用でき、キーホルダーやストラップなどアクセサリー以外にも応使用できるものである。
【実施例】
【００２４】    以下、添付図面に従い実地例により本考案をさらに具体的に説明するが、本考案の範囲は当該実地例に限定されるものである。【００２５】    図面１は本考案のアクセサリーパーツの基本素材として空洞加工のガラスに立体的構造と樹脂加工を施した紙とプラスチックを入れ、金属のキャップを付けた様子を示す参考図である。「１」は空洞加工したガラスの輪郭を表し、当該輪郭は球形である。ガラスは無色透明でも良いし、オーロラ加工や色付きのものでも個性を表現できる。「２」は合成樹脂加工を施した紙の輪郭を示し、当該輪郭は伝統折り紙である折り鶴の立体構図である。紙の種類は単色でも良いし、複数色でもデザイン性がある。「３」はプラスチックの素材の輪郭を表し、複数封入している。当該輪郭は球形であり、大きさは均等でもバラバラでも良い。「４」はガラスに封をする金属パーツの輪郭を示している。当該輪郭は環状の接続パーツを有する半円状の蓋を示している。これらの素材に本考案所定の加工処理を施し、パーツを接続すればアクセサリーを製作することができる。ガラスが球形なので服装をあまり選ばず、紙やプラスチックパーツを固定していないので動きがあり、人目をひくことが可能である。【００２６】    図面２は本考案のアクセサリーパーツの使用例として、ガラスに立体的構造と樹脂加工した紙、石のかけらを入れ、円柱のキャップを付けたアクセサリーパーツをピアスに加工した事例を示す概要図である。「５」は空洞加工したガラスの輪郭であり、当該輪郭は２つの面が星形の柱型である。「６」は合成樹脂加工を施した紙の輪郭を示し、当該輪郭は伝統折り紙である折り鶴の立体構図である。「７」は天然石のかけらの輪郭であり複数封入している。当該輪郭はそろばん型である。大きさは均等でもバラバラでも良い。「８」はガラスに封をする金属パーツの輪郭を示している。当該輪郭は環状の接続パーツを有する円柱状の蓋を示している。「９」はピアスパーツの輪郭を示している。当該輪郭はフックタイプのピアスであり、「８」の上部についている環に接続をして使用する。紙がガラス内にあるので、アクセサリーパーツを接続する際、力をより入れて作業でき、作業のやりやすさが向上している。また、レジンのアレルギーを持っている人も安心して使用することができる。
【符号の説明】
【００２７】１    ガラスの輪郭
２    紙の輪郭
３    プラスチックの素材の輪郭
４    ガラスに封をする金属パーツの輪郭
５    ガラスの輪郭
６    紙の輪郭
７    天然石のかけらの輪郭
８    ガラスに封をする金属パーツの輪郭
９    ピアスパーツの輪郭
【図１】
0003226541.tif 000003
【図２】
0003226541.tif 000004
【手続補正書】
【提出日】令和2年3月11日(2020.3.11)
【手続補正１】
【補正対象書類名】実用新案登録請求の範囲
【補正対象項目名】全文
【補正方法】変更
【補正の内容】
【実用新案登録請求の範囲】
【請求項１】
内部を空洞加工したガラス内に、立体及び合成樹脂加工した紙を１種または複数種を封入し、金属パーツで蓋をしたアクセサリーパーツ。
【請求項２】
内部を空洞加工したガラス内に、合成樹脂加工した紙の他に、天然石や貝、人工石、ガラスの１種または複数種の素材を共に封入した請求項１に記載のアクセサリーパーツ。
【請求項３】
内部を空洞加工したガラスは１種または複数種使用し、形は球形のドーム型、ビン型の立体または箱型、星形等の多面体を使用した請求項１乃至請求項２に記載のアクセサリーパーツ。